(57)【特許請求の範囲】
【請求項１】
配線情報（１０８）を表示する方法であって、
配線系統（１１０）の論理的コンポーネント（１３２）が二次元で表示される前記配線系統（１１０）の第１のビュー（１３０）をグラフィカルユーザインターフェース（２１０）内に表示することであって、前記配線系統（１１０）が少なくとも前記論理的コンポーネント（１３２）と共に個別に表示された複数の配線を有する配線ハーネスを含む、前記第１のビュー（１３０）を表示することと、
前記配線系統（１１０）の物理的コンポーネント（１３６）が三次元で表示される前記配線系統（１１０）の第２のビュー（１３４）を前記グラフィカルユーザインターフェース（２１０）内に表示することであって、前記第１のビュー（１３０）及び前記第２のビュー（１３４）は一緒に表示され、前記第１のビュー（１３０）の前記論理的コンポーネント（１３２）が前記第２のビュー（１３４）の前記物理的コンポーネント（１３６）に対応し、前記配線系統（１１０）の前記第２のビュー（１３４）が前記配線ハーネスを含む、前記第２のビュー（１３４）を表示することと、
前記第１のビュー（１３０）及び前記第２のビュー（１３４）の一方のビューにおける前記配線系統（１１０）の表示に対する前記グラフィカルユーザインターフェース（２１０）へのユーザ入力（１２２）に応答して、前記一方のビュー内に第１のグラフィカルインジケータを表示し、他方のビュー内に前記配線系統（１１０）の表示に対する前記ユーザ入力（１２２）に基づく反応（１３８）を表示することであって、前記反応（１３８）が前記他方のビュー内に第２のグラフィカルインジケータを含み、前記一方のビュー内の前記第１のグラフィカルインジケータが前記他方のビュー内の前記第２のグラフィカルインジケータに対応する１つのコンポーネントに関連付けられており、前記一方のビュー内の前記物理的コンポーネント（１３６）の一部を選択することが、前記論理的コンポーネント（１３２）の一部だけが前記他方のビュー内に表示されるように前記配線系統（１１０）の前記論理的コンポーネント（１３２）をフィルタリングする、前記反応（１３８）を表示することと
を含む方法。
【請求項２】
前記反応（１３８）が、前記第１のビュー（１３０）及び前記第２のビュー（１３４）の前記一方における前記配線系統（１１０）の表示に対する前記ユーザ入力（１２２）に基づいた、前記他方のビューにおける任意の数のコンポーネントの表示の変更を含み、前記反応（１３８）が前記第１のビュー（１３０）内の１つの配線を強調表示すること、及び前記第２のビュー（１３４）内の前記配線ハーネスを円、強調表示、ポインタのうち１つにより示すことを含む、請求項１に記載の方法。
【請求項３】
前記ユーザ入力（１２２）が前記第１のビュー（１３０）における１つの配線の選択であり、前記反応（１３８）が、前記第２のビュー（１３４）における前記配線を含む配線ハーネスに関連付けられたグラフィカルインジケータの表示である、請求項１に記載の方法。
【請求項４】
前記ユーザ入力（１２２）が前記第２のビュー（１３４）における１つの配線ハーネスの選択であり、前記反応（１３８）が、前記第２のビュー（１３４）における前記配線ハーネスに含まれる配線に関連付けられたグラフィカルインジケータの表示である、請求項１に記載の方法。
【請求項５】
前記ユーザ入力（１２２）が、前記第１のビュー（１３０）において、前記第１のビュー（１３０）内に表示させる任意の数のコンポーネントを前記配線系統（１１０）から選択し、前記配線系統（１１０）の他のコンポーネントを除くことであり、前記反応（１３８）が、前記第２のビュー（１３４）内に前記任意の数のコンポーネントに対応するコンポーネントを表示することである、請求項１に記載の方法。
【請求項６】
前記第１のビュー（１３０）が、前記第２のビュー（１３４）には含まれない前記配線系統（１１０）に関する第１の情報を提供し、前記第２のビュー（１３４）が、前記第１のビュー（１３０）には含まれない前記配線系統（１１０）に関する第２の情報を提供する、請求項１に記載の方法。
【請求項７】
前記配線系統（１１０）が航空機（１２８）内に位置しており、前記配線系統（１１０）内の前記物理的コンポーネント（１３６）が表示される前記配線系統（１１０）の前記第２のビュー（１３４）を表示することが、
前記配線系統（１１０）内の前記物理的コンポーネント（１３６）を、前記第２のビュー（１３４）において前記航空機（１２８）内の前記物理的コンポーネント（１３６）の位置に関してグラフィックで表示する、前記配線系統（１１０）の前記第２のビュー（１３４）を表示すること
を含む、請求項１に記載の方法。
【請求項８】
コンピュータシステム（１０２）及び表示システム（１１２）を備えた装置であって、前記コンピュータシステム（１０２）及び前記表示システム（１１２）が、
航空機（１２８）内の個別に表示された複数の配線を有する少なくとも１つの配線ハーネスを含む配線系統（１１０）の論理的コンポーネント（１３２）が二次元で表示される前記配線系統（１１０）の第１のビュー（１３０）を表示し、
前記配線系統（１１０）の物理的コンポーネント（１３６）が三次元で表示される前記配線系統（１１０）の第２のビュー（１３４）を表示し、前記第１のビュー（１３０）及び前記第２のビュー（１３４）は前記表示システム（１１２）上に一緒に表示され、前記第１のビュー（１３０）の前記論理的コンポーネント（１３２）が前記第２のビュー（１３４）の前記物理的コンポーネント（１３６）に対応し、前記配線系統（１１０）の前記第２のビュー（１３４）が前記配線ハーネスを含み、
且つ前記第１のビュー（１３０）及び前記第２のビュー（１３４）の一方のビューにおける前記配線系統（１１０）の表示に対するユーザ入力（１２２）に応答して、前記一方のビュー内に第１のグラフィカルインジケータを表示し、他方のビュー内に前記配線系統（１１０）の表示に対する前記ユーザ入力（１２２）に基づく反応（１３８）を表示し、前記反応（１３８）が前記他方のビュー内に第２のグラフィカルインジケータを含み、前記一方のビュー内の前記第１のグラフィカルインジケータが前記他方のビュー内の前記第２のグラフィカルインジケータに対応する１つのコンポーネントに関連付けられ、
前記コンピュータシステム（１０２）が、前記配線系統（１１０）の前記第２のビュー（１３４）を表示するように構成され、前記配線系統（１１０）内の前記物理的コンポーネント（１３６）を、前記第２のビュー（１３４）において前記航空機（１２８）内の前記物理的コンポーネント（１３６）の位置に関しグラフィックにより表示し、前記一方のビュー内の前記物理的コンポーネント（１３６）の一部を選択することが、前記論理的コンポーネント（１３２）の一部だけが前記他方のビュー内に表示されるように前記配線系統（１１０）の前記論理的コンポーネント（１３２）をフィルタリングするように構成された、装置。
【請求項９】
前記ユーザ入力（１２２）が前記第１のビュー（１３０）内の１つの配線の選択であり、前記反応（１３８）が前記第２のビュー（１３４）における前記配線を含む１つの配線ハーネスに関連付けられたグラフィカルインジケータの表示であり、前記反応（１３８）が前記第１のビュー（１３０）内の１つの配線を強調表示すること、及び前記第２のビュー（１３４）内の前記配線ハーネスを円、強調表示、ポインタのうち１つにより示すことを含む、請求項８に記載の装置。
【発明の詳細な説明】
【技術分野】
【０００１】
本発明は、概して配線図に関し、具体的には配線図の表示に関する。さらに具体的には、本発明は、配線図の配線系統の複数のビューを表示させる方法と装置に関する。
【背景技術】
【０００２】
航空機のような構造は、配線系統に数百マイルもの配線を有している。配線系統は、航空機の配線系統内の様々なコンポーネントへ電力及びデータを運ぶために使用される。これらのコンポーネントには、コンピュータ、光源、ディスプレイ、及びその他の適切な種類のデバイスが含まれる。
【０００３】
これらの配線系統を表わす図は概略図と呼ばれる。概略図には複数のコンポーネントが含まれる。例えば、航空機の場合、航空機内の様々なコンポーネント間の導電性経路のすべてを表わすために、電気配線図が使用される。
【０００４】
典型的な概略図は、複数ページの図面を有しうるハードコピーの形態で提示される。場合によっては、概略図は電子的形態で示される。これらの図面には、図面内のコンポーネントに関する大量の情報が含まれている。このような図面は、他のシートへの言及も含みうる。
【０００５】
ハードコピーシートの図面を使用するには長時間を要し、保守要員のようなユーザにとってその使用は困難な場合がある。複数のコンポーネントを対象とするとき、これらのコンポーネントが概略図の中で別々のシートに位置していると、困難性がさらに増すことがある。
【０００６】
例えば、保守要員は航空機の配線を点検することがある。保守要員は、配線の取り替え及び設置を行うこともある。保守作業の際には、概略図を補助的に使用して配線の点検を行うことが多い。
【０００７】
したがって、種々の有利な実施形態では、上述の問題の少なくとも一つ、並びに生じうるその他の問題を考慮する。
【発明の概要】
【０００８】
有利な一実施形態では、配線情報を表示する方法が提供される。配線系統の第１のビューを表示すると、配線系統の論理的コンポーネントが表示される。配線系統の第２のビューを表示すると、配線系統の物理的コンポーネントが表示される。第１のビュー及び第２のビューのうちの一方における配線系統の表示に対するユーザ入力に応答して、他方のビューに、そのようなユーザ入力に基づく反応が表示される。
【０００９】
別の有利な実施形態において、装置はコンピュータシステムを備えている。コンピュータシステムは、論理的コンポーネントが表示される配線系統の第１のビューを表示するように構成されている。コンピュータシステムは、さらに、物理的コンポーネントが表示される配線系統の第２のビューを表示するように構成されている。コンピュータシステムは、第１のビュー及び第２のビューのうちの一方における配線系統の表示に対するユーザ入力に応答して、他方のビューに、そのようなユーザ入力に基づく反応を表示するように構成されている。
【００１０】
また別の有利な実施形態において、コンピュータプログラム製品は、コンピュータで読み取り可能な記憶媒体と、第１のプログラムコードと、第２のプログラムコードと、第３のプログラムコードとを備えている。第１のプログラムコードは、論理的コンポーネントが表示される配線系統の第１のビューを表示するためのものである。第２のプログラムコードは、物理的コンポーネントが表示される配線系統の第２のビューを表示するためのものである。第３のプログラムコードは、第１のビュー及び第２のビューのうちの一方の配線系統の表示に対するユーザ入力に応答して、他方のビューに、そのようなユーザ入力に基づく反応を表示するためのものである。第１のプログラムコードと、第２のプログラムコードと、第３のプログラムコードとは、コンピュータで読み取り可能な記憶媒体に保存される。
【００１１】
本発明の機構、機能、及び利点は、本明細書の種々の実施形態において単独で達成することができるか、又は他の実施形態において組み合わせることができる。これらの実施形態のさらなる詳細は、後述の説明及び添付図面に見ることができる。
【図面の簡単な説明】
【００１２】
有利な実施形態の、新規の機構と考えられる特徴は、特許請求の範囲に規定されている。しかしながら、有利な実施形態と、その好ましい使用モード、さらなる目的、及び利点とは、添付図面と併せて、本発明の有利な実施形態に関する後述の詳細な説明を参照することにより最もよく理解されるであろう。
【００１３】
【図１】図１は有利な一実施形態による配線表示環境を示している。
【図２】図２は有利な一実施形態による表示モジュールを示している。
【図３】図３は有利な一実施形態によるグラフィックデータを示している。
【図４】図４は有利な一実施形態による配線系統の第１のビュー及び第２のビューを示している。
【図５】図５は有利な一実施形態による配線系統の二つのビュー間の相互作用を示している。
【図６】図６は有利な一実施形態による配線系統の二つのビュー間の相互作用を示す別の図である。
【図７】図７は有利な一実施形態による配線系統の二つのビュー間の相互作用を示す別の図である。
【図８】図８は有利な一実施形態による配線系統の二つのビュー間の相互作用を示す別の図である。
【図９】図９は有利な一実施形態による配線情報表示プロセスのフロー図である。
【図１０】図１０は有利な一実施形態によるデータ処理システムを示している。
【発明を実施するための形態】
【００１４】
種々の有利な実施形態は、任意の数の検討事項を認識して考慮する。本明細書においてアイテムに言及して「任意の数の」という表現を使用する場合、一又は複数のアイテムを意味する。例えば、「任意の数の検討事項」とは、一又は複数の検討事項である。
【００１５】
例えば、種々の有利な実施形態は、配線系統図を表示スクリーン上に電子的に表示できるとしても、このような図の情報量によって、保守要員が保守作業を行うために必要な情報を見つけ出すために要する時間と労力が増大しうることを認識し、考慮する。
【００１６】
例えば、概略図の一図面が数百ものコンポーネントを含んでいる場合がある。対象のコンポーネントを発見するには、保守要員が希望する以上に時間と労力がかかる。保守要員が、航空機の配線系統内に特定の配線束を探している場合、そのような特定の配線束を見つける、辿る、又はその場所を特定し、且つ配線束の経路を見つけるのに要する時間は長すぎる。
【００１７】
種々の有利な実施形態は、特定のコンポーネントの識別をもっと容易に行う一つの方式がグラフィカルインジケータの使用であることを、認識し、考慮する。グラフィカルインジケータは、配線束を選択するユーザ入力が受け取られたとき、所望の配線束を強調表示するために使用される。種々の有利な実施形態は、この種のグラフィカルインジケータを用いても、図には保守要員が必要としない他の情報が含まれうることを認識し、考慮する。保守要員は、検査又はその他の保守作業を実行するために、依然として配線束に関連した他のコンポーネントを探す必要がありうる。
【００１８】
したがって、種々の有利な実施形態によって、配線情報を表示するための方法と装置が提供される。配線系統の第１のビューでは論理的コンポーネントが表示される。配線系統の第２のビューでは配線系統の物理的コンポーネントが表示される。第１のビュー及び第２のビューのうちの一方における配線系統の表示に対するユーザ入力に応答して、他方のビューに、そのようなユーザ入力に基づく反応が表示される。
【実施例】
【００１９】
ここで添付図面を参照する。図１は、有利な一実施形態による配線表示環境を示している。図示のこの実施例では、配線表示環境１００は、コンピュータシステム１０２を備えている。
【００２０】
コンピュータシステム１０２は、任意の数のコンピュータ１０４を含んでいる。任意の数のコンピュータ１０４が複数のコンピュータを含むとき、これらのコンピュータはネットワーク、無線通信リンク、又はその他の適切な種類の通信システムにより互いに通信する。
【００２１】
このような実施例では、表示モジュール１０６はコンピュータシステム１０２内に位置している。表示モジュール１０６は、ソフトウェア、ハードウェア、又はそれら二つの組み合わせを用いて実施される。このような実施例では、表示モジュール１０６は、表示システム１１２内の配線系統１１０に関する配線情報１０８を表示する。配線系統１１０は、複数のコンポーネントから構成される。これらのコンポーネントは、モジュール、列線交換ユニット、コンピュータ、表示装置、光源、ワイヤ、コネクタ、動力源、バス、スイッチ、プラグ、ブラケット、及び／又はその他の適切な種類のコンポーネントのうちの少なくとも一つを含む。
【００２２】
本明細書においてアイテムを列挙して「〜の少なくとも一つ」という表現を使用する場合、列挙されたアイテムの一又は複数からなる様々な組み合わせが使用可能であり、且つアイテムのいずれかが一つだけあればよいことを意味する。例えば、「アイテムＡ、アイテムＢ、及びアイテムＣの少なくとも一つ」には、例えば、限定されないが、「アイテムＡ」、又は「アイテムＡとアイテムＢ」が含まれる。この例は、「アイテムＡとアイテムＢとアイテムＣ」、又は「アイテムＢとアイテムＣ」も含む。
【００２３】
表示システム１１２は、ハードウェアシステムであり、任意の数の表示装置１１６を含むことができる。任意の数の表示装置１１６は、液晶表示装置、プロジェクタ、及び／又はその他の適切な種類の表示装置を含むことができる。
【００２４】
さらに、ユーザインターフェースシステム１１８は、コンピュータシステム１０２内にあってもよい。ユーザインターフェースシステム１１８は、ハードウェア、ソフトウェア、又はこれら二つの組み合わせを用いて実施することができる。ユーザインターフェースシステム１１８は、オペレータ１２０が、表示モジュール１０６と相互作用するために、ユーザ入力１２２を供給することを可能にする。ユーザ入力１２２は、配線情報１０８の操作又は閲覧に使用される。
【００２５】
このような実施例では、ユーザインターフェースシステム１１８は任意の数の入力装置１２４を含んでいる。任意の数の入力装置１２４は、例えば、限定しないが、マウス、キーボード、タッチスクリーン、ジェスチャ認識システム、及びその他の適切な種類の入力装置の少なくとも一つとすることができる。
【００２６】
このような実施例の配線系統１１０はプラットフォーム１２６内に位置している。例えば、プラットフォーム１２６は航空機１２８である。
【００２７】
配線系統１１０は、航空機１２８内に見られる、例えば、娯楽システム、環境システム、及び／又はその他の種類のシステムのためのものである。すなわち、配線系統１１０は、通電している種々のシステムのうちの一又は複数である。
【００２８】
このような実施例では、表示モジュール１０６は、配線系統１１０内の論理的コンポーネント１３２を表示する配線系統１１０の第１のビュー１３０を生成及び表示する。さらに、表示モジュール１０６は、物理的コンポーネント１３６を表示する配線系統１１０の第２のビュー１３４を生成及び表示する。
【００２９】
このような実施例では、論理的コンポーネント１３２は物理的コンポーネント１３６を論理的に表現したものである。論理的コンポーネント１３２は、ブロック、論理的記号、又はグラフィックとして表示することができる。論理的コンポーネント１３２は、第１のビュー１３０上に表示された物理的形態に関係なく、機能又はコンポーネントを表わす。
【００３０】
第２のビュー１３４内の物理的コンポーネント１３６は、配線系統１１０内のコンポーネントの物理的表現である。すなわち、物理的コンポーネント１３６は、オペレータ１２０が航空機１２８内を見た時の、配線系統１１０におけるこのようなコンポーネントの外観を表わすグラフィックとして表示される。
【００３１】
第１のビュー１３０及び第２のビュー１３４から選択された一方のビューにおける配線系統１１０の表示に対するユーザ入力１２２に応答して、他方のビューにおいて反応１３８が識別及び表示される。表示モジュール１０６は、配線系統１１０へのユーザ入力１２２に基づいて反応１３８を生成する。
【００３２】
このような実施例では、反応１３８は、ユーザ入力１２２が受け取られなかった方のビューにおける配線系統１１０内のコンポーネントの表示の変更である。すなわち、ビューの一方における配線系統１１０の表示に対してユーザ入力１２２が行われると、他方のビューに反応１３８が表示される。このようにして、第１のビュー１３０と第２のビュー１３４との間には相互作用が起こる。
【００３３】
図１に示される配線表示環境１００は、有利な一実施形態が実施される方式に対する物理的又はアーキテクチャ的な限定を意味するものではない。図示のコンポーネントに加えて、及び／又は代えて、他のコンポーネントを使用することができる。幾つかのコンポーネントは不要でありうる。また、幾つかの機能的コンポーネントを示すために、ブロックが示されている。これらのブロックの一又は複数は、有利な一実施形態において実施されるとき、異なるブロックに統合及び／又は分割することができる。
【００３４】
幾つかの実施例では、さらなるビューが提示される。例えば、物理的コンポーネント１３６を、三次元ではなく二次元で示す別のビューに表示することができる。
【００３５】
航空機に関連させて有利な一実施形態を説明したが、この有利な実施形態は他の種類のプラットフォームに適用することができる。例えば、限定しないが、他の有利な実施形態を、可動プラットフォーム、固定プラットフォーム、陸上構造、水上構造、宇宙構造、及び／又はその他の何らかの適切なオブジェクトに適用することができる。具体的には、種々の有利な実施形態を、例えば、限定しないが、潜水艦、バス、人員運搬車、戦車、列車、自動車、宇宙船、宇宙ステーション、衛星、水上船舶、発電所、ダム、製造工場、建造物、及び／又はその他の何らかの適切なオブジェクトに適用することができる。
【００３６】
次に図２を参照する。図２は、有利な一実施形態による表示モジュールを示している。図示のように、表示モジュール１０６の一実施例が示されている。
【００３７】
表示モジュール１０６は、図示のように、第１のビューモジュール２００、第２のビューモジュール２０２、及び相互作用モジュール２０４を備えている。このような実施例では、第１のビューモジュール２００は、図１の表示システム１１２上に表示される第１のビュー１３０を生成する。第２のビューモジュール２０２は、表示システム１１２上に表示される第２のビュー１３４を生成する。
【００３８】
このような実施例では、第１のビュー１３０は二次元ビュー２０６であり、第２のビュー１３４は三次元ビュー２０８である。これらのビューは、このような実施例では、グラフィカルユーザインターフェース２１０に表示される。
【００３９】
二次元ビュー２０６及び三次元ビュー２０８は、配線情報１０８を用いてそれぞれ第１のビューモジュール２００及び第２のビューモジュール２０２によって生成される。配線情報１０８はデータベースの組に保存される。本明細書において、アイテムに言及して「組」という場合、一又は複数のアイテムを意味する。例えば、「データベースの組」とは、一又は複数のデータベースを意味する。これらの実施例では、配線情報１０８は、コンピュータを利用した設計（ＣＡＤ）の図面、及び／又はその他の適切な情報の形態をとることができる。
【００４０】
このような実施例では、配線情報１０８は、二次元モデル２１２及び三次元モデル２１４を含んでいる。二次元モデル２１２は、図１の配線系統１１０の二次元ビュー２０６を生成するために必要な情報を含んでいる。三次元モデル２１４は、配線系統１１０の三次元ビュー２０８を生成するために必要な情報を含んでいる。これらのモデルは、コンピュータシステム上に二次元及び三次元の図面を表示するために現在使用されているいずれかのモデルの形態をとることができる。例えば、モデルはコンピュータを利用した設計のモデル又はその他の種類のモデルとすることができる。
【００４１】
このような実施例では、二次元ビュー２０６は配線系統１１０内のコンポーネントのグラフィカル表示である。このグラフィカル表示は、コンポーネントの物理的ビューも詳細も含まない。このような表示は、ブロック、記号、及び／又はその他のグラフィックを使用して作成される。例えば、二次元ビュー２０６は、ワイヤ、設備、及び／又はその他のコンポーネントを表示することができる。
【００４２】
三次元ビュー２０８は、物理的形態の種々のコンポーネントの物理的レイアウトのグラフィカル表示を提供する。三次元ビュー２０８における配線系統１１０の表示には、三次元空間における物理的な束、ワイヤ、及びその他の設備の表示が含まれる。三次元ビュー２０８は、配線系統１１０内の点から点へと電気信号がとる経路全体を説明する又は示す。コンポーネントの機能的グループ化は三次元ビュー２０８には示されない。
【００４３】
このような実施例では、二次元ビュー２０６及び三次元ビュー２０８の各々は、配線系統１１０に関して異なる種類の情報を供給する。二次元ビュー２０６は、三次元ビュー２０８が提示する情報のすべてを含むわけではない。同様に、三次元ビュー２０８は、二次元ビュー２０６に見られる情報のすべてを供給するわけではない。例えば、二次元ビュー２０６は、コンポーネントに関する情報、機能、及び／又はその他の適切な情報を供給することができる。
【００４４】
対照的に、三次元ビュー２０８は、配線系統１１０内におけるコンポーネントの物理的位置又はルーティングを供給する。さらに、三次元ビュー２０８は、二次元ビュー２０６における表示に対応する論理的コンポーネントを有さない配線系統１１０内の支持構造、及び／又はその他のデバイスに関する情報を供給する。配線系統１１０の物理的設計における配線束、ボックス、及びコネクタといったコンポーネントは、二次元ビュー２０６には示されないことがある。
【００４５】
つまり、二次元ビュー２０６は、システムの機能を説明するために必要なコンポーネントのグラフィカル表示を提供するが、物理的な情報は有さない。例えば、特定の実装態様によっては、このビューには、選択された配線のみが示されて、他のコネクタ及びコンポーネントは示されないことがある。ワイヤのゲージ、長さ、物理的な位置、及び配線束におけるワイヤのルーティングに関する情報は、二次元ビュー２０６には含まれない。
【００４６】
対照的に、三次元ビュー２０８は、物理的形態でのコンポーネントのグラフィカル表示を供給する。三次元ビュー２０８は、様々なコンポーネントの位置及びルーティングも含んでいる。例えば、配線束又はチューブは、様々な機能及びシステムのワイヤを含むことができる。三次元ビュー２０８は、この配線束を示すが、配線束の内部のワイヤを示さないこともある。対照的に、二次元ビュー２０６は、配線系統１１０のフィルタリング又は選択に応じて、特定の機能のためのワイヤのみを示すことができる。
【００４７】
すなわち、二次元ビュー２０６及び三次元ビュー２０８内のコンポーネント間には、一対一の対応が常に存在するわけではない。しかしながら、一対一の対応が存在しなくとも、コンポーネント間の対応又は関連を形成することができる。例えば、二次元ビュー２０６内のワイヤと三次元ビュー２０８の配線束との関連を形成することができる。
【００４８】
このような実施例では、相互作用モジュール２０４は、第１のビュー１３０と第２のビュー１３４とを相互作用させる。相互作用モジュール２０４は、任意の数の入力デバイス１２４により、オペレータ１２０からユーザ入力１２２を受け取ることができる。
【００４９】
例えば、第１のビュー１３０における二次元ビュー２０６内のコンポーネント２１６に対するユーザ入力１２２により、第２のビュー１３４における三次元ビュー２０８内に反応２１８が表示される。反応２１８は様々な形態をとることができる。例えば、反応２１８は、コンポーネント２１６の対応コンポーネント２２８に関するものである。コンポーネント２１６は、二次元ビュー２０６ではワイヤである。対応コンポーネント２２８は、三次元ビュー２０８内における対応ワイヤである。具体的には、反応２１８は、グラフィカルユーザインターフェース２１０にグラフィカルインジケータ２２９の形態で表示される。
【００５０】
幾つかの実施例では、対応コンポーネント２２８が三次元ビュー２０８内に存在しない場合、関連コンポーネントの組２２４に反応２１８が起こる。
【００５１】
反応２１８は、グラフィカルインジケータ２２９のうちの一つを対応コンポーネント２２８及び／又は関連コンポーネントの組２２４に関連付けることとしてもよい。グラフィカルインジケータは、強調表示、コンポーネントの色の変更、コンポーネントによる又はコンポーネント上のアイコンの表示、太線表示、及び／又はその他の適切な種類のグラフィカルインジケータとすることができる。
【００５２】
グラフィカルインジケータは、任意の数の様々な方法でコンポーネントに関連付けることができる。グラフィカルユーザインターフェース２１０のビューワーが、あるグラフィカルインジケータが特定のコンポーネントを表していると認識するとき、グラフィカルインジケータはコンポーネントに関連付けられている。
【００５３】
例えば、二次元ビュー２０６において選択されたワイヤが三次元ビュー２０８に示されない場合、関連コンポーネントの組２２４は配線束とすることができる。ワイヤをコンポーネント２１６として選択することにより、コンポーネント２１６を内部に含む配線束が、グラフィカルインジケータに関連付けられて表示される。この実施例では、配線束が対応コンポーネント２２８である。
【００５４】
同様に、配線系統１１０に対するユーザ入力が、三次元ビュー２０８におけるコンポーネント２２６の選択である場合、反応２１８は、二次元ビュー２０６における対応コンポーネント２２０、及び／又は関連コンポーネントの組２３０の強調表示でありうる。
【００５５】
この実施例では、コンポーネント２２６のための配線束の選択により、二次元ビュー２０６において、一又は複数のワイヤが関連コンポーネントの組２３０として強調表示されうる。ワイヤは、このような実施例では配線束に含まれるため、配線束に関連付けられる。上述のように、コンポーネントのこのような関連付けはグラフィックデータ２３２を用いて行うことができる。
【００５６】
また別の実施例では、配線系統１１０に対するユーザ入力はコンポーネントの組に対するものでありうる。例えば、ユーザ入力１２２は、二次元ビュー２０６を選択又はフィルタリングすることにより、配線系統１１０の一部のみを示すことである。このようなフィルタリングは、配線系統１１０内の特定の機能及び／又はシステムを担う配線系統１１０の部分を示すことである。
【００５７】
例えば、配線系統１１０が航空機１２８のすべてに関する場合、配線系統内の環境システムに含まれるコンポーネントについて、二次元ビュー２０６におけるコンポーネントの組２３４を選択することができる。同様に、三次元ビュー２０８に表示される対応コンポーネントの組２３６は、二次元ビュー２０６内の環境システムについて選択されたコンポーネントのみを示すことになる。
【００５８】
別の実施例では、二次元ビュー２０６におけるコンポーネントの組２３４の選択が娯楽システムについて行われる場合、三次元ビュー２０８における反応２１８は、娯楽システムのコンポーネントを含む関連コンポーネントの組２２４を表示することである。言うまでもなく、特定の実装態様に応じて他の種類のフィルタリングを使用することができる。
【００５９】
このような実施例では、二次元ビュー２０６に表示される論理的コンポーネント１３２と三次元ビュー２０８に表示される物理的コンポーネント１３６との関連付けは、グラフィックデータ２３２を用いて行われる。グラフィックデータ２３２は、二次元モデル２１２及び三次元モデル２１４内の種々のコンポーネント間の関連付けを可能にする。
【００６０】
上述のように、このような対応は、コンポーネント対コンポーネントでない場合もあり、事例によっては、一つのコンポーネントがコンポーネントの組、又は異なるコンポーネントに対応する。他の事例では、コンポーネントの組が単一のコンポーネントに対応する。例えば、一つのワイヤが配線束に対応することがあり、一つの束がワイヤの組に対応することもある。
【００６１】
ここで図３を参照する。図３は、有利な一実施形態によるグラフィックデータを示している。この実施例では、エントリ３００は、図２のグラフィックデータ２３２の記録又はエントリの一例である。図示のように、エントリ３００は、論理的コンポーネントの識別子３０２と物理的コンポーネントの識別子３０４とを含んでいる。
【００６２】
一方のコンポーネントが選択されると、エントリ３００において他方のコンポーネントが特定される。コンポーネントの対応先は、対応コンポーネントでなくとも、選択されたコンポーネントに関連するコンポーネントの組でもよい。
【００６３】
例えば、論理的コンポーネントの識別子３０２がワイヤの識別子である場合、物理的コンポーネントの識別子３０４は、一つのワイヤか、又は対応する三次元モデル内においてこのワイヤを内部に含む配線束の識別子である。
【００６４】
これらの識別子は、図２の配線情報１０８に含まれる二次元モデル２１２内のコンポーネントに対応する。物理的コンポーネントの識別子３０４は、図２の配線情報１０８に含まれる三次元モデル２１４に対応する。
【００６５】
論理的コンポーネントの識別子３０２は、二次元モデル２１２内のコンポーネントに使用される識別子である。物理的コンポーネントの識別子３０４は、三次元モデル２１４内のコンポーネントに使用される識別子である。したがって、モデル内の特定のコンポーネントがビュー内において選択されると、選択されたコンポーネントの識別子を使用して、他方のモデル内において対応する一つのコンポーネント又はコンポーネントの組を特定することができる。
【００６６】
ここで図４を参照する。図４は、有利な一実施形態による配線系統の第１のビュー及び第２のビューを示している。グラフィカルユーザインターフェース４００は、図２のブロック図に示されたグラフィカルユーザインターフェース２１０の一実装態様の一例である。この実施例では、グラフィカルユーザインターフェース４００は、第１のビュー４０２と第２のビュー４０４とを含んでいる。第１のビュー４０２は二次元ビュー４０６の形態をとっており、第２のビュー４０４は三次元ビュー４０８の形態をとっている。
【００６７】
このような実施例では、第１のビュー４０２は、図１のブロック図に示された第１のビュー１３０の一実装態様の一例である。第２のビュー４０４は、図１のブロック図に示された第２のビュー１３４の一実装態様の一例である。
【００６８】
このような実施例では、二次元ビュー４０６と三次元ビュー４０８とは、図１のコンピュータシステム１０２内において、表示モジュール２０６によって生成され、表示システム１１２上に表示される。このような実施例では、論理的コンポーネント４０９は二次元ビュー４０６に表示される。配線系統１１０内の物理的コンポーネント４１０は三次元ビュー４０８に表示される。
【００６９】
このような実施例では、論理的コンポーネント４０９の一部又は全部は、物理的コンポーネント４１０の一部又は全部に対応する。幾つかの事例では、一方のビューに示される幾つかのコンポーネントが別のビュー内には存在しない。
【００７０】
例えば、ワイヤ４１２、４１４、４１６、４１８、及び４２０は配線束４２２に含まれている。ワイヤ４１２、４１４、４１６、４１８、及び４２０は、二次元ビュー４０６においては個別に示される。しかしながら、これらのワイヤは三次元ビュー４０８においては個別に示されない。代わりに、三次元ビュー４０８には配線束４２２だけが表示される。二次元ビュー４０６は第２のビュー４０４には示されない。代わりに、ワイヤ４１２の関連コンポーネントが表示される。この実施例では、配線束４２２が、三次元ビュー４０８においてワイヤ４１２を含むコンポーネントである。
【００７１】
この実施例では、二次元ビュー４０６において論理的コンポーネント４０９のうちの一つを選択することにより、三次元ビュー４０８において物理的コンポーネント４１０のうちの対応する物理的コンポーネントを特定するグラフィカルインジケータが表示される。同様に、物理的コンポーネント４１０のうちの一つを選択することにより、二次元ビュー４０６において論理的コンポーネント４０９のうちの対応する論理的コンポーネントを特定するグラフィカルインジケータが表示される。
【００７２】
この実施例に示すように、使用されるグラフィカルインジケータは、強調表示、色、及び／又はその他の適切な種類のグラフィカルインジケータを含むことができる。グラフィカルインジケータの他の例には、例えば、限定されないが、網掛け、パターン、ボックス、円、コンポーネントの輪郭を示す破線、バルーン、及び／又はその他の適切な種類のグラフィカルインジケータが含まれる。
【００７３】
ここで図５を参照する。図５は、有利な一実施形態による、配線系統の二つのビュー間の相互作用を示している。この実施例では、ポインタ５００がワイヤ４１２の上に置かれており、ワイヤ４１２がユーザ入力１２２によって選択されている。
【００７４】
ワイヤ４１２の選択に応答して、グラフィカルインジケータ５０２がワイヤ４１２に関連付けられる。この実施例では、グラフィカルインジケータ５０２はワイヤ４１２を表示する太線である。言うまでもなく、強調表示、色、点滅、グラフィック、アイコン、及び／又はその他の適切な種類のインジケータといった他の種類のグラフィックインジケータを使用してもよい。
【００７５】
加えて、この実施例では配線束４２２も強調表示される。この実施例の反応は、配線束４２２へのグラフィカルインジケータ５０４の関連付けである。この実施例では、グラフィカルインジケータ５０４は破線である。配線束４２２は、ワイヤ４１２を含む配線束に対応する。
【００７６】
ここで図６を参照する。図６は、有利な一実施形態による配線系統の二つのビュー間の相互作用を示す別の図である。この実施例では、ポインタ５００は配線束４２２の上に置かれている。加えて、配線束４２２が選択されている。
【００７７】
配線束４２２の選択に応答して、配線束４２２はグラフィカルインジケータ５０４に関連付けられる。加えて、ワイヤ４１２及び４２０にもグラフィカルインジケータが関連付けられる。
【００７８】
具体的には、ワイヤ４１２にグラフィカルインジケータ５０２が関連付けられ、ワイヤ４２０にはグラフィカルインジケータ６００が関連付けられる。グラフィカルインジケータ５０２及びグラフィカルインジケータ６００は共に、それぞれワイヤ４１２及びワイヤ４２０を示す太線である。これらのワイヤには、配線束４２２の選択への反応としてグラフィカルインジケータ５０２及び６００が関連付けられる。図示の実施例では、これらのワイヤは配線束４２２の内部に位置している。
【００７９】
図示のように、この実施例では、ワイヤ４１４、４１６、及び４１８にはグラフィカルインジケータは関連付けられない。これらのワイヤは、同じ機能を持つ部品であるが、この実施例では配線束４２２の内部には位置していない。このような実施例では、これらのワイヤは他の配線束内、又は他の場所に位置している。
【００８０】
二次元ビュー４０６及び三次元ビュー４０８によるグラフィカルユーザインターフェース４００の表示は、種々の有利な実施形態が実施される方式を限定するものではない。例えば、グラフィカルユーザインターフェース４００は、単一のウィンドウ内に二次元ビュー４０６と三次元ビュー４０８とを表示する。他の実施例では、各ビューが別個のウィンドウ内に表示される。さらに、この実施例では、グラフィカルインジケータはコンポーネントに関連付けられる。具体的には、各コンポーネントに一つのグラフィカルインジケータが関連付けられる。
【００８１】
他の実施例では、複数のグラフィカルインジケータを使用することができる。例えば、強調表示と点滅、色と太線、破線とアイコン、及び／又はグラフィカルインジケータのその他の適切な種類の組み合わせを使用することができる。すなわち、二つの異なるビューにおいて互いに相関するコンポーネントを特定するために、コンポーネントに任意の種類又は任意の数のグラフィックインジケータを使用することができる。
【００８２】
ここで図７を参照する。図７は、有利な一実施形態による配線系統の二つのビュー間における相互作用を示す別の図である。この実施例では、グラフィカルユーザインターフェース４００の二次元ビュー４０６に論理的コンポーネント７００が表示されている。物理的コンポーネント７０２は三次元ビュー４０８に表示されている。
【００８３】
図示のように、この実施例では、三次元ビュー４０８において物理的コンポーネント７０４を選択することにより、二次元ビュー４０６にグラフィカルインジケータ７０６が表示される。グラフィカルインジケータ７０６は、物理的コンポーネント７０４に対応するものとして論理的コンポーネント７０８を特定する。この実施例では、グラフィカルインジケータ７０６は論理的コンポーネントを囲むボックスの形態をとっている。
【００８４】
同様に、論理的コンポーネント７０８を選択すると、三次元ビュー４０８においてグラフィカルインジケータ７１０が表示される。グラフィカルインジケータ７１０は、論理的コンポーネント７０８に対応するものとして物理的コンポーネント７０４を特定する。この実施例では、グラフィカルインジケータ７１０は物理的コンポーネント７０４のパターンの形態をとる。
【００８５】
このように、二次元ビュー４０６と三次元ビュー４０８とは互いに相互作用する。幾つかの実施例では、二次元ビュー４０６内の論理的コンポーネント７００のうちの一つを選択すると、この論理的コンポーネントに関連付けられる一又は複数の物理的コンポーネントを特定する任意の数のグラフィカルインジケータが生じる。
【００８６】
ここで図８を参照する。図８は、有利な一実施形態による配線系統の二つのビュー間の相互作用を示す別の図である。この実施例では、物理的コンポーネント８００が二次元ビュー４０６に表示される。
【００８７】
物理的コンポーネント８００は配線系統に関するものである。この実施例では、三次元ビュー４０８内の物理的コンポーネント８００の一部を選択することにより、二次元ビュー４０６内に表示される論理的コンポーネントがフィルタリングされる。具体的には、三次元ビュー４０８において物理的コンポーネント８００の一部８０２を選択することにより、論理的コンポーネント８０４だけが２次元ビュー４０６に表示されるように、配線系統の論理的コンポーネントがフィルタリングされる。
【００８８】
二次元ビュー４０６及び三次元ビュー４０８によるグラフィカルユーザインターフェース４００の表示は、種々の有利な実施形態が実施される方式を限定するものではない。例えば、グラフィカルユーザインターフェース４００は、単一ウィンドウ内に２次元ビュー４０６と三次元ビュー４０８とを表示する。他の実施例では、各ビューは個別のウィンドウに表示される。さらに、この実施例では、コンポーネントにはグラフィカルインジケータが関連付けられる。具体的には、各コンポーネントに一つのグラフィカルインジケータが関連付けられる。
【００８９】
他の実施例では、複数のグラフィカルインジケータを使用することができる。例えば、強調表示と点滅、色と太線、破線とアイコン、及び／又はグラフィカルインジケータのその他の適切な種類の組み合わせを使用することができる。すなわち、二つの異なるビュー内で互いに相関するコンポーネントを特定するために、任意の種類又は任意の数のグラフィカルインジケータを使用することができる。
【００９０】
ここで図９を参照する。図９は、有利な一実施形態による配線情報の表示プロセスのフロー図である。図９に示すプロセスは、図１の表示モジュール１０６において実施される。
【００９１】
このプロセスは、論理的コンポーネントが表示される配線系統の第１のビューを表示することにより開始される（工程９００）。その後、プロセスは、配線系統内の物理的コンポーネントが表示される第２のビューを表示する（工程９０２）。
【００９２】
次いで、プロセスは、第１のビュー及び第２のビューの一方より、配線系統の表示に対するユーザ入力が行われたかどうかを決定する（工程９０４）。一実施例では、ユーザ入力はコンポーネントの選択である。別の実施例では、ユーザ入力は、特定の機能及び／又はシステムについてビューをフィルタリングすることである。幾つかの事例では、ユーザ入力は、設置場所、システムの設計者、設置日、特定の部品のメタデータの存在、及び／又は適切な基準によるビューのフィルタリングである。
【００９３】
ユーザ入力が行われていなければ、プロセスは工程９０４に戻る。ユーザ入力が行われていれば、プロセスは配線系統に対するこのようなユーザ入力に基づく反応を特定する（工程９０６）。工程９０６は、他方のビュー内の任意の数のコンポーネントを特定する。他方のビューは、ユーザ入力が行われなかった方のビューである。ユーザ入力が一コンポーネントの選択である場合、任意の数のコンポーネントは、選択されたコンポーネントに対応する一コンポーネントである。対照的に、対応する一のコンポーネントが存在しない場合、選択されたコンポーネントに関連付けられるコンポーネントの組が特定される。次いで、プロセスは、配線系統の表示に対するユーザ入力が行われたビュー以外の別のビュー内に反応を表示し（工程９０８）、次いで工程９０４に戻る。
【００９４】
様々に示した実施形態におけるフロー図及びブロック図は、有利な一実施形態による装置及び方法に可能な幾つかの実装態様のアーキテクチャ、機能性、及び工程を表している。これに関して、フロー図又はブロック図に含まれる各ブロックは、一のモジュール、セグメント、機能、及び／又は一の工程又はステップの一部を表している。例えば、ブロックの一又は複数は、プログラムコードとして、ハードウェアで、又はプログラムコードとハードウェアとの組み合わせで実施することができる。ハードウェアで実施されるとき、ハードウェアは、例えば、フロー図又はブロック図に含まれる一又は複数の工程を実行するように製造又は構築された集積回路の形態をとることができる。
【００９５】
有利な一実施形態の幾つかの別の実装態様では、ブロックに記された一又は複数の機能は図示の順序で実施されなくともよい。例えば、幾つかの事例では、連続して示された二つのブロックは、関与する機能性に応じて、ほぼ同時に実行することができるか、又は時には逆の順番で実行することができる。また、フロー図又はブロック図に示されたブロックに加えて、他のブロックを追加することができる。
【００９６】
ここで図１０を参照する。図１０は、有利な一実施形態によるデータ処理システムを示している。この実施例では、データ処理システム１０００は、プロセッサユニット１００４、メモリ１００６、固定記憶域１００８、通信ユニット１０１０、入出力（Ｉ／Ｏ）ユニット１０１２、及びディスプレイ１０１４間の通信を行う通信ファブリック１００２を含んでいる。データ処理システム１０００は、このような実施例のコンピュータシステム１０２内の任意の数のコンピュータ１０４のうち一又は複数を実施するために使用することができる。
【００９７】
プロセッサユニット１００４は、メモリ１００６内にロードされるソフトウェアのための命令を実行する。プロセッサユニット１００４は、特定の実装態様に応じて、任意の数のプロセッサ、多プロセッサコア、又は他の何らかの種類のプロセッサとすることができる。本明細書において、アイテムに言及して「任意の数の」という場合、一又は複数のアイテムを意味する。さらに、プロセッサユニット１００４は、単一のチップ上に一次プロセッサと共に二次プロセッサが存在する任意の数の異種プロセッサシステムを使用して実装されてもよい。別の実施例として、プロセッサユニット１００４は、同種のプロセッサを複数含む対称型多プロセッサシステムとすることができる。
【００９８】
メモリ１００６及び固定記憶域１００８は、記憶装置１０１６の実施例である。記憶装置は、例えば、限定しないが、データ、機能的形態のプログラムコード、並びに／或いは、一時的及び／又は永久的なその他の適切な情報といった情報を記憶できる、任意のハードウェア部分である。このような実施例では、記憶装置１０１６は、コンピュータで読み取り可能な記憶装置とも呼ばれる。このような実施例では、メモリ１００６は、例えば、ランダムアクセスメモリ、又は他のいずれかの適切な揮発性又は非揮発性の記憶装置とすることができる。固定記憶域１００８は、特定の実装態様に応じて様々な形態をとることができる。
【００９９】
例えば、記憶装置１００８は、一又は複数のコンポーネント又はデバイスを含むことができる。例えば、固定記憶域１００８は、ハードドライブ、フラッシュメモリ、書き換え形光ディスク、再書き込み可能な磁気テープ、又はそれらの何らかの組み合わせとすることができる。固定記憶域１００８によって使用される媒体は取り外し可能でもよい。例えば、取り外し可能なハードドライブを固定記憶域のために使用することができる。
【０１００】
このような実施例において、通信ユニット１０１０は、他のデータ処理システム又はデバイスとの通信を行う。このような実施例では、通信ユニット１０１０はネットワークインターフェースカードである。通信ユニット１０１０は、物理的通信リンク及び無線通信リンクの一方又は両方を使用することにより通信を行うことができる。
【０１０１】
入出力ユニット１０１２は、データ処理システム１０００に接続されうる他のデバイスとの間でのデータの入出力を可能にする。例えば、入出力ユニット１０１２は、キーボード、マウス、及び／又はその他何らかの入力装置によるユーザ入力のための接続部となる。さらに、入出力ユニット１０１２は、プリンタに出力を送信することができる。ディスプレイ１０１４は、ユーザに対して情報を表示する機構となる。
【０１０２】
オペレーションシステム、アプリケーション、及び／又はプログラムへの命令は、記憶装置１０１６に位置させることができ、この記憶装置１０１６は、通信ファブリック１００２によりプロセッサユニット１００４と通信する。このような実施例では、命令は、固定記憶域１００８上において機能的形態である。このような命令は、メモリ１００６にロードされて、プロセッサユニット１００４によって実行される。種々の実施形態のプロセスは、コンピュータで実施される命令を用いてプロセッサユニット１００４によって実行される。命令はメモリ（例えば、メモリ１００６）内に位置させることができる。
【０１０３】
これらの命令は、プログラムコード、コンピュータで使用可能なプログラムコード、又はコンピュータで読み取り可能なプログラムコードとも呼ばれ、プロセッサユニット１０４に含まれる一プロセッサによって読み取られ、実行される。種々の実施形態におけるプログラムコードは、メモリ１００６又は固定記憶域１００８といった、種々の物理的記憶媒体又はコンピュータで読み取り可能な記憶媒体上で具現化される。
【０１０４】
プログラムコード１０１８は、選択的に取り外し可能なコンピュータで読み取り可能な媒体１０２０上に機能的形態で位置しており、データ処理システム１０００にロード又は転送されて、プロセッサユニット１００４によって実行される。このような実施例では、プログラムコード１０１８及びコンピュータで読み取り可能な媒体１０２０は、コンピュータプログラム製品を形成する。一実施例では、コンピュータで読み取り可能な媒体１０２０は、コンピュータで読み取り可能な記憶媒体１０２４、又はコンピュータで読み取り可能な信号媒体１０２６である。
【０１０５】
コンピュータで読み取り可能な媒体１０２４は、例えば、ドライブ、又は記憶装置上に移される固定記憶域１００８の一部であるその他のデバイス（例えば、固定記憶域１００８の一部であるハードドライブ）中に挿入又は配置される光ディスク又は磁気ディスクを含むことができる。コンピュータで読み取り可能な記憶媒体１０２４は、ハードドライブ、サムドライブ、又はフラッシュメモリといった、データ処理システム１０００に接続される固定記憶域の形態をとることもできる。幾つかの事例では、コンピュータで読み取り可能な記憶媒体１０２２４は、データ処理システム１０００から取り外し可能でなくともよい。
【０１０６】
このような実施例では、コンピュータで読み取り可能な記憶媒体１０２４は、プログラムコード１０１８を伝播させるか、又は伝送する媒体ではなく、プログラムコード１０１８を記憶するために使用される物理的な又は有形の記憶装置である。コンピュータで読み取り可能な記憶媒体１０２４は、コンピュータで読み取り可能な有形記憶装置又はコンピュータで読み取り可能な物理的記憶装置とも呼ばれる。すなわち、コンピュータで読み取り可能な記憶装置１０２４は、人が触れることのできる媒体である。
【０１０７】
別の構成では、プログラムコード１０１８は、コンピュータで読み取り可能な信号媒体１０２６を用いてデータ処理システム１０００に転送される。コンピュータで読み取り可能な信号媒体１０２６は、例えば、プログラムコード１０１８を含む伝播されたデータ信号である。例えば、コンピュータで読み取り可能な信号媒体１０２６は、電磁信号、光信号、及び／又は他のいずれかの適切な種類の信号である。これらの信号は、無線通信リンク、光ファイバケーブル、同軸ケーブル、ワイヤ、及び／又はその他いずれかの適切な種類の通信リンクといった通信リンクを介して伝送される。すなわち、このような実施例では、通信リンク及び／又は接続は、物理的なものでも、無線でもよい。
【０１０８】
幾つかの有利な実施形態では、プログラムコード１０１８は、コンピュータで読み取り可能な信号媒体１０２６により別のデバイス又はデータ処理システムから固定記憶域１００８へとネットワークを介してダウンロードされ、データ処理システム１０００内で使用される。例えば、サーバデータ処理システム内のコンピュータで読み取り可能な記憶媒体内に記憶されたプログラムコードは、ネットワークを介して、サーバからデータ処理システム１０００へとダウンロードされる。プログラムコード１０１８を供給するデータ処理システムは、サーバコンピュータ、クライアントコンピュータ、又はプログラムコード１０１８を記憶及び伝送することができるその他何らかのデバイスとすることができる。
【０１０９】
データ処理システム１０００に示されている種々のコンポーネントは、種々の実施形態が実施される方式をアーキテクチャ的に限定するものではない。データ処理システム１０００に示されたコンポーネントに追加のコンポーネント、又はそのようなコンポーネントに替わるコンポーネントを含むデータ処理システムに、種々の有利な実施形態を実施することができる。図１０に示す他のコンポーネントは、図示の実施例のものに変更を加えることができる。種々の実施形態は、プログラムコードを実行するいずれかのハードウェアデバイス又はシステムを用いて実施することができる。一実施例として、データ処理システムは、無機コンポーネントに統合された有機コンポーネントを含むことができる、及び／又は人以外の有機コンポーネントから全体を構成することができる。例えば、記憶装置は、有機半導体から構成することができる。
【０１１０】
別の実施例では、プロセッサユニット１００４は、特定用途のために製造又は構築された回路を有するハードウェアユニットの形態をとることができる。この種のハードウェアは、工程を実行するために記憶装置からメモリにロードされるプログラムコードを必要とせずに、工程を実行することができる。
【０１１１】
例えば、プロセッサユニット１００４がハードウェアユニットの形態をとる場合、プロセッサユニット１００４は、回路システム、特定用途向け集積回路（ＡＳＩＣ）、プログラマブルロジックデバイス、又は任意の数の工程を実行するように構成されたその他何らかの適切な種類のハードウェアとすることができる。プログラマブルロジックデバイスでは、デバイスは任意の数の工程を実行するように構成される。このデバイスは、任意の数の工程を実行するように、後で再構成されても、又は恒久的に構成されてもよい。プログラマブルロジックデバイスの例としては、例えば、プログラマブルロジックアレイ、プログラマブルアレイロジック、フィールドプログラマブルロジックアレイ、フィールドプログラマブルゲートアレイ、及びその他の適切なハードウェアデバイスが挙げられる。この種の実装態様では、種々の実施形態のプロセスがハードウェアユニットで実施されるため、プログラムコード１０１８を省略することができる。
【０１１２】
また別の実施例では、プロセッサユニット１００４は、コンピュータ及びハードウェアユニットに見られるプロセッサの組み合わせを用いて実施することができる。プロセッサユニット１００４は、任意の数のハードウェアユニットと、プログラムコード１０１８を実行する任意の数のプロセッサとを有することができる。図示の本実施例では、プロセッサの幾つかを任意の数のハードウェアユニットに実装し、他のプロセッサを任意の数のプロセッサに実装することができる。
【０１１３】
別の実施例では、バスシステムを使用して通信ファブリック１００２を実施することができ、このようなバスシステムは、システムバス又は入出力バスといった一又は複数のバスから構成することができる。言うまでもなく、バスシステムは、バスシステムに取り付けられた種々のコンポーネント又はデバイス間におけるデータ転送を行う適切な種類のアーキテクチャを用いて実施することができる。
【０１１４】
加えて、通信ユニットは、データの送信、受信、又は送受信を行う任意の数の追加のデバイスを含むことができる。例えば、通信ユニットは、モデム又はネットワークアダプタ、二つのネットワークアダプタ、或いはこれらの何らかの組み合わせとすることができる。さらに、メモリは、例えば、通信ファブリック１００２内に存在しうるインターフェース及びメモリコントローラハブに見られるような、メモリ１００６、又はキャッシュとすることができる。
【０１１５】
このように、種々の有利な実施形態により、配線情報を表示する方法と装置が提供される。種々の有利な実施形態の一又は複数により、オペレータは、様々なプラットフォームにおいて配線系統に関する情報をこれまでより容易に取得することができる。第１のビューと第２のビューとのインターフェースにより、オペレータは、これまでより容易に必要な情報を見ることができる。
【０１１６】
このような実施例では、第１のビューは配線系統の二次元ビューであり、第２のビューは配線系統の三次元ビューである。二次元ビューにおいて一又は複数のコンポーネントを選択することにより、三次元ビューにおいてそれらに対応するコンポーネントを見ることができる。幾つかの事例では、対応コンポーネントは存在せず、関連コンポーネントが表示される。このような関連は、例えば、三次元ビューにおいては、ワイヤを含む配線束である。
【０１１７】
幾つかの実施例では、二次元ビューにおいて一又は複数のコンポーネントを選択することにより、三次元ビューにおいて追加のコンポーネントが表示される。例えば、三次元ビューにおいて、設備、位置情報、及び／又は空間情報といった追加のコンポーネントが提供される。
【０１１８】
さらに、このようにして、オペレータは、二次元ビューにおいて機能又はその他の情報に基づいて対象のコンポーネントを発見した後、プラットフォーム内において種々のコンポーネントの位置又は配置を特定することができる。同様にして、コンポーネントがプラットフォーム内で特定されるとき、三次元ビューを用いてそのコンポーネントを選択することにより、二次元ビューにおいてそのコンポーネントに関する他の情報を見つけることができる。
【０１１９】
種々の有利な実施形態の説明は、例示及び説明を目的として行ったのであり、完全な説明であること、又は開示された形態に実施形態を限定することを意図していない。多数の修正及び変更は、当業者には明らかである。
【０１２０】
例えば、配線系統に関して有利な実施形態を説明したが、他の種類のシステムに幾つかの有利な実施形態を適用することができる。このようなシステムは、流れを有するシステムである。例えば、この流れは、空気、気体、光、水、油、燃料、作動油、及び／又は流動しうるその他の適切な要素である。このようなシステムには、例えば、燃料システム、油圧システム、環境システム、エアハンシステム、オイルシステム、及び／又はその他の適切な種類のシステムが含まれる。種々の有利な実施形態は、互いに相互作用する第１のビューと第２のビューとを提供するために適用される。
【０１２１】
さらに、これらのシステムは、航空機以外の他のプラットフォーム上に位置させることができる。例えば、これらのシステムは、潜水艦、バス、人員運搬車、戦車、列車、自動車、宇宙船、宇宙ステーション、衛星、水上船舶、発電所、ダム、製造工場、建築物、及び／又はその他何らかの適切なオブジェクト上に位置させることができる。
【０１２２】
これらの様々な種類のシステムに種々の有利な実施形態を適用する際には、様々な種類のシステム間の相違点を考慮する。例えば、油圧システムに種々の有利な実施形態を適用する際には、配線系統のルーティング及びルールと油圧システムとの相違点の定義方法を考慮する。
【０１２３】
このような実施例では、様々な種類のシステムが様々な種類の物を運搬する。例えば、配線系統図は電気の運搬を示している。電気は情報をコード化する電気信号である。他の事例では、電気は様々なデバイスに動力を供給する。したがって、これらのシステムは、この種のコンテンツの送信及び運搬を容易にするスイッチ、信号、及び接続を使用する。
【０１２４】
油圧システムなどの他の系統図は、作動油などの物理的要素の運搬を示す。この種のシステムは、要素の複数の組を運ぶことはせず、運搬媒体は配線系統のような情報を含まない。しかしながら、このようなシステムに示される制御機構は、モータ、ポンプ、バルブ、及びアクチュエータといった物理的制御要素を含むように設計される。最後に、これらのシステムの種類には、システム制御に影響を与える、配線に基づくシステムも含まれる。これらのシステムのビュー間の相互作用が実施される方式は、システム間のこれらの相違点、及び存在しうるその他の相違点を考慮する。
【０１２５】
さらに、種々の有利な実施形態により、他の有利な実施形態とは異なる利点が提供される。選択された一又は複数の実施形態は、実施形態の原理、実用的用途を最もよく説明するため、及び当業者が、考慮される特定の用途に適した種々の修正例と共に種々の実施形態の開示内容を理解できるように、選ばれて記載されている。
【符号の説明】
【０１２６】
４００    グラフィカルユーザインターフェース
４０２    第１のビュー
４０４    第２のビュー
４０６    二次元ビュー
４０８    三次元ビュー
４０９、７００、７０８、８０４    論理的コンポーネント
４１０、７０２、７０４、８００    物理的コンポーネント
４１２、４１４、４１６、４１８、４２０    ワイヤ
５００    ポインタ
５０２、６００、７０６、７１０    グラフィカルインジケータ
８０２    物理的コンポーネントの一部分
【図１】
0006009223.tif 000002
【図２】
0006009223.tif 000003
【図３】
0006009223.tif 000004
【図４】
0006009223.tif 000005
【図５】
0006009223.tif 000006
【図６】
0006009223.tif 000007
【図７】
0006009223.tif 000008
【図８】
0006009223.tif 000009
【図９】
0006009223.tif 000010
【図１０】
0006009223.tif 000011